(57)【要約】【課題】テレビジョン放送表示装置に設けられた画面とおよび携帯機器に設けられた画面の双方を有効に利用して、ユーザに対し適切に情報を提供する。【解決手段】テレビジョン放送表示装置１０Ａにおいて、携帯機器３０は、音声信号の出力時に自身の第２画面３２に画像表示可能に設けられる。制御ユニットは、テレビ出力状態と、装着された携帯機器３０から受信した音声信号に対応する音声をスピーカ２４から出力させる携帯機器出力状態とを、ユーザによるリモコン送信機の操作入力に応じて切り換える。携帯機器支持部２２は、第１画面２０を視認することができる仮想視認位置からユーザが見たときに第２画面３２も視認でき、且つ第２画面３２が第１画面２０に隣接するよう、装着された携帯機器３０を着脱可能に支持する。【選択図】図３
2009272783.tif 000002
【特許請求の範囲】
【請求項１】
第１画面と、
スピーカと、
音声信号を出力可能に設けられると共に音声信号の出力時に自身に設けられた第２画面に画像表示可能に設けられた携帯機器を着脱可能に支持する携帯機器支持部と、
受信したテレビジョン放送信号に対応する映像を前記第１画面に表示させると共に受信したテレビジョン放送信号に対応する音声を前記スピーカから出力させるテレビ出力状態と、装着された前記携帯機器から受信した音声信号に対応する音声を前記スピーカから出力させる携帯機器出力状態と、を所定の条件の下で切り換える制御部と、
を備え、
前記携帯機器支持部は、前記第１画面を視認することができる仮想視認位置からユーザが見たときに前記第２画面も視認でき、且つ前記第２画面が前記第１画面に隣接するよう、装着された前記携帯機器を支持することを特徴とするテレビジョン放送表示装置。
【請求項２】
前記携帯機器支持部は、前記第２画面が前記第１画面を垂直に投影した空間に重ならずに前記第１画面に隣接するよう、装着された前記携帯機器を支持することを特徴とする請求項１に記載のテレビジョン放送表示装置。
【請求項３】
前記第１画面に隣接して配置された周辺部材をさらに備え、
前記携帯機器支持部は、前記携帯機器が装着される被装着部を有し、前記被装着部が前記周辺部材に隣接する第１位置と、前記携帯機器が装着できるよう前記被装着部の上方が開放される第２位置と、の間で回動可能に設けられることを特徴とする請求項１または２に記載のテレビジョン放送表示装置。
【請求項４】
前記第１画面に隣接して配置され、前記携帯機器支持部を収容する収容部が設けられた周辺部材をさらに備え、
前記携帯機器支持部は、前記携帯機器が装着される被装着部を有し、前記被装着部が前記収容部に収容される第１位置と、前記被装着部に前記携帯機器が装着できるよう第１位置より前記第１画面が向く方向に引き出された第２位置と、の間で移動可能に設けられることを特徴とする請求項１または２に記載のテレビジョン放送表示装置。
【請求項５】
前記携帯機器支持部は、前記第２画面が前記第１画面と平行になるよう、装着された前記携帯機器を支持することを特徴とする請求項１から４のいずれかに記載のテレビジョン放送表示装置。
【請求項６】
前記携帯機器支持部は、前記携帯機器が装着されるコネクタを有する電子回路基板を有し、
前記電子回路基板は、前記携帯機器が前記コネクタに結合されたときに前記第２画面が基板表面に対して傾斜するよう設けられ、
前記携帯機器支持部は、前記携帯機器が前記コネクタに結合されたときに前記第２画面が前記第１画面と平行になるよう、前記電子回路基板を支持することを特徴とする請求項５に記載のテレビジョン放送表示装置。
【請求項７】
前記携帯機器支持部は、前記第１画面よりも下方において前記携帯機器を支持し、前記第１画面よりも前記第２画面が上方を向くときの前記第１画面に対する前記第２画面の角度をプラスとして、前記第２画面が前記第１画面に対してゼロ度以上３０度以下の角度を成すよう前記携帯機器を支持することを特徴とする請求項１から４のいずれかに記載のテレビジョン放送表示装置。
【請求項８】
前記携帯機器支持部は、前記携帯機器を支持するときの前記第１画面に対する前記第２画面の角度を調整可能に設けられることを特徴とする請求項１から３のいずれかに記載のテレビジョン放送表示装置。
【請求項９】
前記スピーカは、前記第１画面の下方において水平方向に並設される一対のスピーカを含み、
前記携帯機器支持部は、前記一対のスピーカの間に配置されることを特徴とする請求項１から８のいずれかに記載のテレビジョン放送表示装置。
【請求項１０】
前記携帯機器支持部は、装着された装置に映像信号および当該映像信号に対応する音声信号を出力可能に設けられると共に映像信号および音声信号の出力時に前記第２画面に画像表示可能に設けられた携帯機器を着脱可能に支持し、
前記制御部は、前記テレビ出力状態と、前記携帯機器から受信した映像信号に対応する映像を前記第１画面に表示させると共に受信した音声信号に対応する音声を前記スピーカから出力させる携帯機器出力状態と、を所定の条件の下で切り換えることを特徴とする請求項１から９のいずれかに記載のテレビジョン放送表示装置。
【発明の詳細な説明】
【技術分野】
【０００１】
本発明は、テレビジョン放送表示装置に関し、特に、受信したテレビジョン放送信号に対応する映像が表示されるテレビジョン放送表示装置に関する。
【背景技術】
【０００２】
ポータブルデジタルオーディオプレイヤーなど、外出先でも音楽や映像を再生可能な携帯機器の開発が現在盛んに進められている。このような携帯機器の使用を支援すべく、例えば、携帯機器の画像表示面の画像を撮像してテレビジョン信号電波に変換して発信する携帯機器支援装置が提案されている（例えば、特許文献１参照）
【特許文献１】特開２００７−１２９５４６号公報
【発明の開示】
【発明が解決しようとする課題】
【０００３】
現在、音楽を再生できる携帯機器の多くは液晶などによる画面が設けられており、この画面に映像や音楽の再生状態などが表示される。したがって、テレビジョン放送信号に対応する映像および音声を出力するテレビジョン放送表示装置にこのような携帯機器を接続して使用する場合、テレビジョン放送表示装置の画面と携帯機器の画面とが併存することになる。上述の特許文献に記載される技術では、携帯機器の画像表示面の画像を表示しているときは他の情報をテレビジョン放送表示装置の画面に表示することは困難であり、併存する画面の有効利用という観点から改良の余地がある。
【０００４】
そこで、本発明は上述した課題を解決するためになされたものであり、その目的は、テレビジョン放送表示装置に設けられた画面とおよび携帯機器に設けられた画面の双方を有効に利用して、ユーザに対し適切に情報を提供することにある。
【課題を解決するための手段】
【０００５】
上記課題を解決するために、本発明のある態様のテレビジョン放送表示装置は、第１画面と、スピーカと、音声信号を出力可能に設けられると共に音声信号の出力時に自身に設けられた第２画面に画像表示可能に設けられた携帯機器を着脱可能に支持する携帯機器支持部と、受信したテレビジョン放送信号に対応する映像を第１画面に表示させると共に受信したテレビジョン放送信号に対応する音声をスピーカから出力させるテレビ出力状態と、装着された携帯機器から受信した音声信号に対応する音声をスピーカから出力させる携帯機器出力状態と、を所定の条件の下で切り換える制御部と、を備える。携帯機器支持部は、第１画面を視認することができる仮想視認範囲からユーザが見たときに第２画面も視認でき、且つ第２画面が第１画面に隣接するよう、装着された携帯機器を支持する。
【発明の効果】
【０００６】
本発明によれば、テレビジョン放送表示装置に設けられた画面とおよび携帯機器に設けられた画面の双方を有効に利用して、ユーザに対し適切に情報を提供することができる。
【発明を実施するための最良の形態】
【０００７】
以下、図面を参照して本発明の実施の形態（以下、実施形態という）について詳細に説明する。
【０００８】
図１は、第１の実施形態に係るテレビジョン放送表示装置１０Ａの外観を示す斜視図である。また、図２は、第１の実施形態に係るテレビジョン放送表示装置１０Ａの右側面図である。以下、図１および図２の双方に関連してテレビジョン放送表示装置１０Ａの構成について説明する。
【０００９】
テレビジョン放送表示装置１０Ａは、本体部１２Ａ、スタンド１４、および連結支持部１６を有する。本体部１２Ａは、第１画面２０、右スピーカ２４Ｒ、左スピーカ２４Ｌ、カバー２６、および携帯機器支持部２２を有する。本体部１２Ａは肉厚をもった長方形状の形状を有し、一方の面に第１画面２０が設けられている。第１画面２０は、本体部１２Ａの一方の面よりわずかに小さいサイズを有し、周囲に縁部が設けられている。
【００１０】
スタンド１４は、連結支持部１６を介して本体部１２Ａに連結されている。スタンド１４は、水平面に接地したときに、第１画面２０の長手方向が水平に延在し短手方向が鉛直に延在するよう本体部１２Ａを支持する。以下、テレビジョン放送表示装置１０Ａにおいて第１画面２０が設けられた側を前面という。
【００１１】
右スピーカ２４Ｒは長細い形状を有し、略水平方向に延在するよう、第１画面２０の下方右側に配置される。左スピーカ２４Ｌもまた細長い形状を有し、略水平に延在するよう、第１画面２０の下方左側に配置される。こうして、右スピーカ２４Ｒおよび左スピーカ２４Ｌは、第１画面２０の下方において水平方向に並設される。以下、右スピーカ２４Ｒおよび左スピーカ２４Ｌを必要に応じてスピーカ２４と総称する。
【００１２】
カバー２６は、第１画面２０およびスピーカ２４が設けられる以外の部分において本体部１２Ａの外面を構成し、第１画面２０の周辺部材として機能する。携帯機器支持部２２は、長方形の板状に形成される。携帯機器支持部２２は、右スピーカ２４Ｒと左スピーカ２４Ｌとの間において、長手方向が水平になるようカバー２６に取り付けられる。
【００１３】
図３は、携帯機器を取り付けたときの第１の実施形態に係るテレビジョン放送表示装置１０Ａの外観を示す斜視図である。また、図４は、携帯機器を取り付けたときの第１の実施形態に係るテレビジョン放送表示装置１０Ａの右側面図である。以下、図３および図４の双方に関連して、携帯機器を取り付けるためのテレビジョン放送表示装置１０Ａの構成について説明する。
【００１４】
携帯機器３０は長方形の板状に形成され、一方の面の上部に第２画面３２が、下部に操作入力部３４が、それぞれ設けられている。携帯機器３０は、他の装置に装着するための装着部（図示せず）を有する。携帯機器３０は、いわゆる携帯型ミュージックプレーヤであり、ヘッドホン端子（図示せず）にヘッドホンが接続されている場合はそのヘッドホンに対して、装着部に別の装置が装着されている場合はその装置に対して、音声信号を出力可能に設けられている。ユーザは、装着部が別の装置に装着されていないときは、操作入力部３４を操作することによって、選曲や再生、停止を指示することができる。
【００１５】
携帯機器支持部２２は、携帯機器３０が着脱可能に装着される被装着部２２ａを有する。被装着部２２ａは、被装着部２２ａがカバー２６に隣接する第１位置と、携帯機器３０が装着できるよう被装着部２２ａの上方が開放される第２位置との間で回動可能に設けられている。このためユーザは、携帯機器３０を装着しないときは、携帯機器支持部２２を第１位置まで回動することにより携帯機器支持部２２が装置前方に突出しない良好な外観を実現することができる。一方、携帯機器３０を装着するときは、携帯機器支持部２２を第１位置から第２位置に開けて、携帯機器３０の装着部を携帯機器支持部２２の被装着部２２ａに装着することにより、携帯機器３０を携帯機器支持部２２に取り付けることができる。
【００１６】
このとき、携帯機器支持部２２は、第１画面２０を視認することができる仮想視認位置からユーザが見たときに第２画面３２も視認でき、且つ第２画面３２が第１画面２０に隣接するよう、装着された携帯機器３０を支持する。具体的には、携帯機器支持部２２は、第２画面３２が第１画面２０を垂直に投影した空間に重ならずに第１画面２０に隣接するよう携帯機器３０を支持する。これによって、ユーザは、第１画面２０と第２画面３２とを同じ位置から同時に視認することができる。また、携帯機器支持部２２は、第２画面３２が第１画面２０と平行になるよう、装着された携帯機器３０を支持する。これにより、第１画面２０を見るユーザが第２画面３２を確実に視認可能とすることができる。
【００１７】
図５は、第１の実施形態に係るテレビジョン放送表示装置１０Ａの携帯機器支持部２２周辺における断面図である。図５に示すように、携帯機器支持部２２は、回動軸４０を介してカバー２６に対し回動可能に構成されている。
【００１８】
携帯機器支持部２２は、携帯機器３０が装着されるコネクタ３８を有する電子回路基板３６を内部に備える。コネクタ３８は被装着部２２ａの一部を構成し、携帯機器３０のコネクタが携帯機器支持部２２のコネクタ３８に結合されることにより、携帯機器３０が携帯機器支持部２２に支持される。コネクタ３８は雄コネクタが採用されており、携帯機器３０のコネクタには雌コネクタが採用されている。このため、コネクタ３８は基板表面から突出するように電子回路基板３６に設けられている。
【００１９】
電子回路基板３６は、携帯機器３０がコネクタ３８に結合されたときに第２画面３２が基板表面に対して傾斜するよう設けられている。具体的には、コネクタ３８は、基板表面から直角に突出するのではなく、基板表面から傾斜するよう突出している。携帯機器３０において、コネクタの凹み方向と第２画面３２は並行となっているため、携帯機器３０がコネクタ３８に結合されたときに第２画面３２が基板表面に対して傾斜する。第１の実施形態では、携帯機器３０がコネクタ３８に結合されたときの基板表面と直行する方向と第２画面３２との成す角度は１５度とされている。なお、この角度が１５度に限定されないことは勿論である。
【００２０】
第１の実施形態では、携帯機器支持部２２は、携帯機器３０がコネクタ３８に結合されたときに第２画面３２と第１画面２０とが互いに平行になるよう電子回路基板３６を支持する。このため、携帯機器支持部２２は、第２位置にあるときに水平面に対して基板表面が１５度の角度を成すように電子回路基板３６を支持する。携帯機器３０を装着可能に設けられた装置は、第２画面３２が上方に向いて傾斜するよう携帯機器３０を支持する場合がある。このため、携帯機器３０を装着するためのコネクタが基板表面に対して傾斜している汎用電子回路基板が用いられる場合がある。このように電子回路基板３６を傾斜して支持することにより、このような汎用電子回路基板を用いつつ、第２画面３２と第１画面２０とが平行になるよう携帯機器３０を支持することが可能となる。
【００２１】
なお、携帯機器支持部２２は、第１画面２０よりも第２画面３２が上方を向くときの第１画面２０に対する第２画面３２の角度をプラスとして、第２画面３２が第１画面２０に対してゼロ度以上３０度以下の角度を成すよう携帯機器３０を支持してもよい。このとき、携帯機器支持部２２は、第２画面３２が第１画面２０に対して略１５度の角度を成すよう携帯機器３０を支持してもよい。例えば、第１画面２０が第２画面３２よりも画面対角線比で１０倍程度以上が大きいような場合には、視聴位置によっては、第１画面２０よりも第２画面３２がゼロ度から３０度程度の範囲内で上方を向いた方が、両画面を同時に視認しやすくなる。
【００２２】
また、携帯機器支持部２２は、携帯機器３０を支持するときの第１画面２０に対する第２画面３２の角度を調整可能に設けられていてもよい。具体的には、回動軸４０における携帯機器支持部２２の回動に適度な摩擦力を与えるトルクリミッタが設けられていてもよい。この場合、トルクリミッタは、携帯機器３０の質量によって回動軸４０に与えられるトルクでは回転せず、携帯機器３０の質量より大きい所定のトルクが与えられたときに携帯機器支持部２２の回動を可能とする。これにより、ユーザは第２画面３２が自分から見やすいよう第２画面３２の角度を調整することができる。
【００２３】
なお、回動軸４０にラチェット機構が設けられてもよい。ラチェット機構は、第１位置から第２位置まで回動させると、第２位置で携帯機器支持部２２を保持する。第２位置から第１位置に向けて携帯機器支持部２２が所定角度回動されると、ラチェット機構は、その位置で携帯機器支持部２２を保持し、第２位置へ向かう方向への携帯機器支持部２２の回動を規制する。その位置から第１位置に向けて携帯機器支持部２２が所定角度さらに回動させると、ラチェット機構は、その位置で携帯機器支持部２２を保持し、第２位置へ向かう方向への携帯機器支持部２２の回動を規制する。このようなラチェット機構は公知であるため説明は省略する。このようにラチェット機構を利用することによって、第２画面３２の角度を調整可能にしてもよい。
【００２４】
図６は、第１の実施形態に係るテレビジョン放送表示装置１０Ａ、および携帯機器３０の機能ブロック図である。なお、図６は、各種演算処理を実行するＣＰＵ、各種制御プログラムを格納するＲＯＭ、データ格納やプログラム実行のためのワークエリアとして利用されるＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００２５】
テレビジョン放送表示装置１０Ａは、制御ユニット４８をさらに有する。制御ユニット４８は、アナログ放送受信部５０、デジタル放送受信部５２、出力制御部５４、リモコン受信部５６、および携帯機器制御部５８を有する。
【００２６】
アナログ放送受信部５０は、チューナ７０、復調部７２、およびビデオ信号処理部７４を含む。チューナ７０は、ユーザによるリモコン送信機６０の操作に対応して受信した物理チャンネル信号を抽出することにより放送網からのテレビジョン放送信号に対して選局し、選局したテレビジョン放送信号に対して検波処理を施す。チューナ７０によって処理された信号は復調部７２に供給される。
【００２７】
復調部７２は、供給された信号に対して復調処理を施し、映像信号、音声信号、および番組関連情報などのデータを抽出する。復調部７２によって抽出された映像信号は、ビデオ信号処理部７４に供給される。ビデオ信号処理部７４は、供給された映像信号に対して輝度情報、色情報、位置情報などの調整処理を施し、処理された映像信号を、番組関連情報と重畳する合成部（図示せず）を介して第１画面２０に出力する。復調部７２によって抽出された音声信号は、音声処理部（図示せず）を介してスピーカ２４に出力される。
【００２８】
デジタル放送受信部５２は、チューナ８０、分離部８２、およびデコーダ８４を含む。チューナ８０は、ユーザによるリモコン送信機６０の操作に対応して受信した物理チャンネル信号を抽出することにより、放送網からのテレビジョン放送信号に対して選局する。チューナ８０は、選局したテレビジョン放送信号に対して復調処理を施してＴＳ（Transform Stream）形式のデータとして分離部８２に供給する。分離部８２は、供給されたデータから映像データと音声データとを抽出して分離し、得られた映像データおよび音声データをデコーダ８４に供給する。デコーダ８４は、供給された映像データに復号処理を施し、得られた映像信号を合成部（図示せず）を介して第１画面２０に出力する。また、デコーダ８４は、供給された音声データに復号処理を施し、得られた音声信号をスピーカ２４に出力する。
【００２９】
携帯機器３０は、第２画面３２および操作入力部３４の他に、出力制御部９０、記憶部９２、デコーダ９４、音声出力部９６、および画像出力部９８をさらに備える。記憶部９２は、音声データおよび動画データを格納可能に設けられている。携帯機器３０は、例えばｍｐ３（MPEG Audio Layer-3）形式やＡＡＣ（Advanced Audio Coding）形式で圧縮された音声データが再生可能となっている。また、携帯機器３０は、ＭＰＥＧ−４形式で圧縮された動画データが再生可能となっている。なお、携帯機器３０が再生可能な音声データおよび動画データがこれらの形式のものに限られないことは勿論である。また、記憶部９２にＪＰＥＧ（Joint Photographic Experts Group）形式やＰＩＣＴ形式で圧縮された静止画像データが格納され、携帯機器３０はこれらの静止画像データを第２画面３２に表示可能となっていてもよい。
【００３０】
デコーダ９４は、音声データに復号処理を施して音声信号を音声出力部９６に出力する。音声出力部９６は、得られた音声信号を、ヘッドホン端子、またはコネクタを介して接続された外部装置に出力する。また、デコーダ９４は、動画データに復号処理を施して映像信号を画像出力部９８に出力する。画像出力部９８は、得られた映像信号を第２画面３２またはコネクタを介して接続された外部装置に出力する。以下、動画データを利用してこのように映像信号および音声信号を出力することを動画データの再生という。また、音声データを利用してこのように音声信号を出力することを音声データの再生という。
【００３１】
出力制御部９０は、ユーザが操作入力部３４を操作することにより取得した操作信号や、テレビジョン放送表示装置１０Ａに設けられた携帯機器制御部５８から受信した指示データを取得する。出力制御部９０は、例えば記憶部９２に格納された複数の音声データや動画データの中から、取得した操作信号または指示データに応じたデータを選択する。また、出力制御部９０は、取得した操作信号または指示データに応じて、選択されたデータを再生または再生停止させる。また、出力制御部９０は、音声出力部９６および画像出力部９８を制御することにより、映像信号および音声信号の出力先を制御する。
【００３２】
携帯機器３０は、コネクタを介して別の装置に接続されていないときは、再生画面において音声データまたは動画データの再生状態を第２画面３２に表示する。例えば携帯機器３０は、音声データまたは動画データを再生しているときは、再生中である旨を示す画像や再生時間を示す画像を第２画面３２に表示させる。また、携帯機器３０は、音声データまたは動画データを再生停止しているときは、停止中である旨を示す画像や停止したときの再生時間を示す画像を第２画面３２に表示させる。
【００３３】
リモコン受信部５６は、ユーザがリモコン送信機６０を操作することによりリモコン送信機６０から出力される信号を受信し、ユーザによる操作入力に対応する指示データとして出力制御部５４に出力する。例えばユーザは、リモコン送信機６０を操作することにより、アナログ放送、デジタル放送、および携帯機器３０の中から、音声信号または映像信号の出力源を指定することができる。リモコン受信部５６によって出力源を指定する指示信号が受信されると、出力制御部５４は、リモコン受信部５６から受信した指示データに基づいて、音声信号または映像信号の出力元をアナログ放送受信部５０、デジタル放送受信部５２、および携帯機器３０のいずれかに切り換える。
【００３４】
出力源がアナログ放送受信部５０またはデジタル放送受信部５２に切り換えられた場合、選局されたテレビジョン放送信号に対応する映像が第１画面２０に表示され、また、選局されたテレビジョン放送信号に対応する音声がスピーカ２４から出力される。これをテレビ出力状態とする。
【００３５】
また、ユーザは、リモコン送信機６０を操作することにより、携帯機器３０に格納された音声データまたは動画データの再生および再生停止を指示することができる。リモコン受信部５６によって音声データまたは動画データの再生または再生停止を指示する指示信号が受信されると、出力制御部５４は、リモコン受信部５６から受信した指示データに基づいてその旨を示すデータを携帯機器制御部５８に送信する。携帯機器制御部５８は、そのようなデータを受信した場合、再生または再生停止を指示する指示データを携帯機器３０に送信する。携帯機器３０の出力制御部９０は、受信した指示データに基づいて、記憶部９２に格納された音声データまたは動画データを再生または再生停止させる。
【００３６】
音声データの再生を指示する指示データを受信した場合、携帯機器３０の出力制御部９０は、再生が指示された音声データを再生して、携帯機器３０に接続された装置に音声信号を出力する。こうして出力された音声信号に対応する音声は、テレビジョン放送表示装置１０Ａにおいてスピーカ２４から出力される。このように携帯機器３０に格納された音声データの再生によって、その音声データに対応する音声がスピーカ２４から出力される状態を第１携帯機器出力状態とする。このように制御ユニット４８は、テレビ出力状態と第１携帯機器出力状態とを、ユーザによるリモコン送信機６０の操作入力に応じて切り換える。
【００３７】
第１携帯機器出力状態では、携帯機器制御部５８は、再生中かまたは再生停止中か、および再生時間など音声データの再生状態を示す情報を携帯機器３０から受信する。携帯機器制御部５８は、受信した情報を利用して音声データの再生状態を画像として第１画面２０に表示させる。携帯機器制御部５８は、テレビジョン放送表示装置１０Ａの製造元を示すロゴマークの画像データを携帯機器３０に送信する。出力制御部９０は、受信した画像データに対応する画像を第２画面３２に表示させる。このため、携帯機器３０に格納された音声データを再生中は、第１画面２０には音声データの再生状態が表示され、第２画面３２にはテレビジョン放送表示装置１０Ａの製造元を示すロゴマークの画像が表示される。
【００３８】
上述したように、第１の実施形態に係るテレビジョン放送表示装置１０Ａでは、携帯機器支持部２２は、第２画面３２が第１画面２０を垂直に投影した空間に重ならずに第１画面２０に隣接するよう、装着された携帯機器３０を支持する。このため、ユーザは、第１画面２０に表示された音声データの再生状態と、第２画面３２に表示されたテレビジョン放送表示装置１０Ａの製造元を示すロゴマークとを同時に視認することができる。なお、携帯機器３０に格納された音声データの再生時に第１画面２０および第２画面３２に表示される画像がこれに限られないことは勿論である。
【００３９】
一方、動画データの再生を指示する指示データを受信した場合、携帯機器３０の出力制御部９０は、再生が指示された動画データを再生して、接続先であるテレビジョン放送表示装置１０Ａに映像信号および音声信号を出力する。出力制御部５４は、受信した映像信号に対応する映像を第１画面２０に表示させ、受信した音声信号に対応する音声をスピーカ２４から出力させる。
【００４０】
また、動画データの再生を携帯機器３０に指示する場合、携帯機器制御部５８は、動画データの再生状態を示す画像表示を指示する旨の指示データを携帯機器３０に送信する。携帯機器３０の出力制御部９０は、そのような指示データを受信した場合、再生中かまたは再生停止中か、および再生時間など動画データの再生状態を示す画像を第２画面３２に表示させる。このように携帯機器３０に格納された動画データの再生によって、その動画データに対応する映像が第１画面２０に表示され、その動画データに対応する音声がスピーカ２４から出力される状態を第２携帯機器出力状態とする。制御ユニット４８は、テレビ出力状態と第２携帯機器出力状態とをユーザによるリモコン送信機６０の操作入力に応じて切り換える。
【００４１】
このように第２携帯機器出力状態では、ユーザは、第１画面２０に表示された映像と、第２画面３２に表示された動画データの再生状態とを同時に視認することができる。なお、携帯機器３０に格納された動画データの再生時に第１画面２０および第２画面３２に表示される画像がこれに限られないことは勿論である。
【００４２】
（第２の実施形態）
図７は、第２の実施形態に係るテレビジョン放送表示装置１０Ｂの外観を示す斜視図である。また、図８は、第２の実施形態に係るテレビジョン放送表示装置１０Ｂの右側面図である。以下、図７および図８の双方に関連してテレビジョン放送表示装置１０Ｂの構成について説明する。なお、第１の実施形態と同様の個所は同一の符号を付して説明を省略する。
【００４３】
テレビジョン放送表示装置１０Ｂは、本体部１２Ｂ、スタンド１４、および連結支持部１６を有する。本体部１２Ｂは、携帯機器支持部２２、およびカバー２６に代えて携帯機器支持部１００およびカバー１０２が設けられた以外は、第１の実施形態に係る本体部１２Ａと同様である。携帯機器支持部１００は、長方形の板状に形成される。カバー１０２には、携帯機器支持部１００を収容する収容部１０２ａが設けられている。携帯機器３０が取り付けられない状態では、ユーザは、携帯機器支持部１００を収容部１０２ａに押し込むことにより、携帯機器支持部１００の概ね全体を収容部１０２ａに収容させることができる。このように収容部１０２ａに収容されたときの携帯機器支持部１００の位置を第１位置とする。
【００４４】
図９は、携帯機器を取り付けたときの第１の実施形態に係るテレビジョン放送表示装置１０Ｂの外観を示す斜視図である。また、図１０は、携帯機器を取り付けたときの第１の実施形態に係るテレビジョン放送表示装置１０Ｂの右側面図である。以下、図９および図１０の双方に関連して、携帯機器を取り付けるためのテレビジョン放送表示装置１０Ｂの構成について説明する。なお、第１の実施形態と同様の個所は同一の符号を付して説明を省略する。
【００４５】
携帯機器支持部１００は、携帯機器３０が装着される被装着部１００ａを有する。携帯機器支持部１００は、ガイド溝１００ｂに沿って、被装着部１００ａが収容部１０２ａに収容される第１位置と、被装着部１００ａに携帯機器３０が装着できるよう第１位置より第１画面２０が向く方向、即ち装置前方に引き出された第２位置と、の間で移動可能に設けられる。
【００４６】
携帯機器支持部１００は、第２画面３２が第１画面２０を垂直に投影した空間に重ならずに第１画面２０に隣接するよう、装着された携帯機器３０を支持する。また、携帯機器支持部１００は、第２画面３２が第１画面２０と平行になるよう、装着された携帯機器３０を支持する。
【００４７】
携帯機器支持部１００は、携帯機器３０が装着されるコネクタ３８を有する電子回路基板３６を内部に備える。携帯機器支持部１００は、携帯機器３０がコネクタ３８に結合されたときに第２画面３２が第１画面２０と平行になるよう、電子回路基板３６を支持する。このため、携帯機器支持部１００は、第２位置にあるときに水平面に対して１５度の角度を成すように電子回路基板３６を支持する。このように内部に配置された電子回路基板３６が傾斜したまま手前に引き出すことができるよう、携帯機器支持部１００の引き出し方向は、電子回路基板３６の傾斜方向と略平行とされている。
【００４８】
なお、携帯機器支持部１００は、第２画面３２が第１画面２０に対してゼロ度以上３０度以下の角度を成すよう携帯機器３０を支持してもよく、第２画面３２が第１画面２０に対して略１５度の角度を成すよう携帯機器３０を支持してもよい点は第１の実施形態と同様である。
【００４９】
本発明は上述の実施形態に限定されるものではなく、本実施形態の各要素を適宜組み合わせたものも、本発明の実施形態として有効である。また、当業者の知識に基づいて各種の設計変更等の変形を本実施形態に対して加えることも可能であり、そのような変形が加えられた実施形態も本発明の範囲に含まれうる。以下、そのような例を示す。
【００５０】
ある変形例では、リモコン受信部５６によって音声データまたは動画データの再生または再生停止を指示する指示信号が受信されると、携帯機器制御部５８は、再生または再生停止を指示する指示データを携帯機器３０に送信する。音声データの再生を指示する指示データを受信した場合、携帯機器３０の出力制御部９０は、再生が指示された音声データを再生して、接続先であるテレビジョン放送表示装置に音声信号を出力する。出力制御部５４は、携帯機器３０から受信した音声信号に対応する音声をスピーカ２４から出力させると共に、アナログ放送受信部５０またはデジタル放送受信部５２が受信したテレビジョン放送信号に対応する映像を第１画面２０に表示させる。
【００５１】
また、音声データの再生を携帯機器３０に指示する場合、携帯機器制御部５８は、音声データの再生状態を示す画像表示を指示する旨の指示データを携帯機器３０に送信する。携帯機器３０の出力制御部９０は、そのような指示データを受信した場合、音声画データの再生状態を示す画像を第２画面３２に表示させる。
【００５２】
このように携帯機器３０に格納された音声データの再生によってその音声データに対応する音声がスピーカ２４から出力されると共に受信したテレビジョン放送信号に対応する映像が第１画面２０に表示される状態を第３携帯機器出力状態とする。制御ユニット４８は、テレビ出力状態と第３携帯機器出力状態とをユーザによるリモコン送信機６０の操作入力に応じて切り換える。第３携帯機器出力状態では、ユーザはテレビジョン放送信号に対応する映像を第１画面２０で見ながら、携帯機器３０で再生される音声を聞くことができる。その際、ユーザは第２画面３２を確認することにより、携帯機器３０における再生状態も確認することが可能となる。
【００５３】
ある別の変形例では、動画データの再生を指示する指示データを携帯機器３０が受信した場合、出力制御部９０は、再生が指示された動画データを再生して、接続先であるテレビジョン放送表示装置１０Ａに音声信号を出力する。出力制御部５４は、携帯機器３０から受信した音声信号に対応する音声をスピーカ２４から出力させると共に、アナログ放送受信部５０またはデジタル放送受信部５２が受信したテレビジョン放送信号に対応する映像を第１画面２０に表示させる。一方、出力制御部９０は、動画データを再生して得られる映像信号をテレビジョン放送表示装置１０Ａに出力せず、当該映像信号に対応する映像を第２画面３２に表示させる。
【００５４】
このように携帯機器３０に格納された動画データの再生によって、その動画データに対応する音声がスピーカ２４から出力されると共に、テレビジョン放送信号に対応する映像が第１画面２０に表示される状態を第４携帯機器出力状態とする。制御ユニット４８は、テレビ出力状態と第４携帯機器出力状態とをユーザによるリモコン送信機６０の操作入力に応じて切り換える。第４携帯機器出力状態では、ユーザは第１画面２０に表示されたテレビ映像と第２画面３２に表示された動画データの再生映像とを同時に視認しつつ、動画データの再生音声を聞くことができる。
【図面の簡単な説明】
【００５５】
【図１】第１の実施形態に係るテレビジョン放送表示装置の外観を示す斜視図である。
【図２】第１の実施形態に係るテレビジョン放送表示装置の右側面図である。
【図３】携帯機器を取り付けたときの第１の実施形態に係るテレビジョン放送表示装置の外観を示す斜視図である。
【図４】携帯機器を取り付けたときの第１の実施形態に係るテレビジョン放送表示装置の右側面図である。
【図５】第１の実施形態に係るテレビジョン放送表示装置の携帯機器支持部周辺における断面図である。
【図６】第１の実施形態に係るテレビジョン放送表示装置、および携帯機器の機能ブロック図である。
【図７】第２の実施形態に係るテレビジョン放送表示装置の外観を示す斜視図である。
【図８】第２の実施形態に係るテレビジョン放送表示装置の右側面図である。
【図９】携帯機器を取り付けたときの第１の実施形態に係るテレビジョン放送表示装置の外観を示す斜視図である。
【図１０】携帯機器を取り付けたときの第１の実施形態に係るテレビジョン放送表示装置の右側面図である。
【符号の説明】
【００５６】
１０Ａ  テレビジョン放送表示装置、  １０Ｂ  テレビジョン放送表示装置、  ２０  第１画面、  ２２  携帯機器支持部、  ２２ａ  被装着部、  ２４  スピーカ、  ３０  携帯機器、  ３２  第２画面、  ３６  電子回路基板、  ３８  コネクタ。  
【図１】
2009272783.tif 000003
【図２】
2009272783.tif 000004
【図３】
2009272783.tif 000005
【図４】
2009272783.tif 000006
【図５】
2009272783.tif 000007
【図６】
2009272783.tif 000008
【図７】
2009272783.tif 000009
【図８】
2009272783.tif 000010
【図９】
2009272783.tif 000011
【図１０】
2009272783.tif 000012